(57)【要約】【課題】    低い張力が安定して電線に作用するようにしたものであって、特に極小径の電線供給に最適な電線供給装置を提供すること。【解決手段】ボビンを着脱自在に装着するボビン支持盤５１を備え、ボビン支持盤５１に隣接してダンサープレート２６を搖動自在に設ける。ダンサープレート２６にボビン支持盤５１に接合するブレーキシュー３５と枢軸部２７を挟んで反対側にボビン軸５０と平行方向に向けたガイドロール３１を設ける。ダンサープレート２６はブレーキシュー３５がボビン支持盤５１を押圧する方向にコイルバネ２４により付勢されるものである。ボビンに巻付けた電線をガイドロール３１に掛けてから撚り線機に供給し、電線に過度のテンションが掛かるとダンサープレート２６を付勢力に抗して回動してブレーキシュー３５の制動力を弱めてテンションを抑制する。【選択図】    図１
2006027874.tif 000002
【特許請求の範囲】
【請求項１】
撚り線機に電線を供給するものであって、ボビンを着脱自在に装着するボビン支持盤（５１）を備え、該ボビン支持盤に隣接してダンサープレート（２６）を搖動自在に設け、該ダンサープレートに上記ボビン支持盤に接合するブレーキシュー（３５）と枢軸部を挟んで該ブレーキシューの反対側にボビン軸（５０）と平行方向に向けたガイドロール（３１）を設け、上記ダンサープレートは上記ブレーキシューが上記ボビン支持盤を押圧する方向に付勢されるものであり、上記ボビンに巻付けた電線を上記ガイドロールに掛けてから撚り線機に供給し、電線に過度のテンションが掛かると上記ダンサープレートを付勢力に抗して回動して上記ブレーキシューの制動力を弱めてテンションを抑制することを特徴とする電線供給装置。
【請求項２】
ダンサープレート（２６）は、コイルバネ（２４）によって付勢されるものであることを特徴とする請求項１に記載の電線供給装置。
【請求項３】
コイルバネ（２４）は、取付け位置を変更して弾性力を調整できるものであることを特徴とする請求項２に記載の電線供給装置。
【発明の詳細な説明】
【技術分野】
【０００１】
本発明は、撚り線機に電線を供給する電線供給装置に関するものであり、詳しくは、低い張力が安定して電線に作用するものであって、特に極小径電線の供給に好適な電線供給装置に関している。
【背景技術】
【０００２】
撚り線機に電線を供給するには電線にテンションを掛ける必要があるが、特に電線の径が０．０３ｍｍ程度の極小径の場合は、低い張力が安定していることが望ましい。
【０００３】
従来から特許文献１に開示された電線供給装置が知られている。特許文献１に記載された供給装置は、図を参照して、巻枠ドラム３５に巻かれた電線ａがフライヤー８を経て引き出されるものであり、フライヤー８が電線ａをほどく方向に回転して該電線ａに対し引出し速度とこれに追従するフライヤー８の回転トルクにより適度の張力を与えられて繰出されるようになっている。電線供給中は、電線ａの引出し速度と繰出し速度は絶えず微小な変化をしており、瞬間的に大きな張力が電線ａに対し付加されることがある。
【０００４】
第４図において、今、所定以上の張力が電線ａに掛かると、プーリ１５から引出される電線ａの引張力によって振杆１４が反時計方向に傾斜し、これに伴って偏心カム１７がローラ１９を押し、槓杆１８が支点２０を中心に時計方向に傾斜する。すると、ブレーキロッド１６が押し下げられるので、制動杆１１が支杆１３を中心に反時計方向に傾斜してブレーキ片１２はブレーキ盤６から離れる方向に移動する。このようにして、ブレーキ片１２のブレーキ盤６に対する制動力が弱まるので、フライヤー８は電線ａの張力に対応して回転し、巻枠ドラム３５からの繰出し速度は無制動状態に移行して電線ａに掛かる張力を緩和するものである。
【０００５】
また、これとは逆に電線ａに掛かる張力が所定以下に下がると、プーリ１５から引出される電線ａの張力が弱まるので振杆１４は時計方向に傾斜して復元し、偏心カム１７がローラ１９を押付ける力も弱まり、これにより槓杆１８は支点２０を中心に反時計方向に傾斜し、ブレーキロッド１６を引き上げる方向に移動させる。すると、前記の場合と逆にブレーキ片１２のブレーキ盤６に対する制動力が強まり、電線ａに対する張力を高めることができるものである。
【０００６】
上記したように、特許文献１に記載の電線供給装置は、電線ａに掛かる張力を自動的に調整して適正な張力を与えるものであるが、ブレーキ片１２とブレーキ盤６の間に、振杆１４，偏心カム１７，ローラ１９，槓杆１８，ブレーキロッド１６等の多くの部材を介在させているので、張力の制御がダイレクトに行われないものであった。このため、張力の変化に対する応答が鈍く、特に低い張力が不安定であり、電線の径が０．０３ｍｍのように極小径の場合は高品位な撚り線が得られないという問題があった。
【０００７】
【特許文献１】特開昭５４−１７４６８号公開特許公報
【発明の開示】
【発明が解決しようとする課題】
【０００８】
本発明は、低い張力が安定して電線に作用するようにしたものであって、特に極小径電線の供給に好適な電線供給装置を提供することである。
【課題を解決するための手段】
【０００９】
解決手段の第１は、ボビンを着脱自在に装着するボビン支持盤を備え、該ボビン支持盤に隣接してダンサープレートを搖動自在に設け、該ダンサープレートに上記ボビン支持盤に接合するブレーキシューと枢軸部を挟んで該ブレーキシューの反対側にボビン軸と平行方向に向けたガイドロールを設け、上記ダンサープレートは上記ブレーキシューが上記ボビン支持盤を押圧する方向に付勢されるものであり、上記ボビンに巻付けた電線を上記ガイドロールに掛けてから撚り線機に供給し、電線に過度のテンションが掛かると上記ダンサープレートを付勢力に抗して回動して上記ブレーキシューの制動力を弱めてテンションを抑制することを特徴とするものである。
解決手段の第２は、解決手段の第１において、ダンサープレートが、コイルバネによって付勢されるものであることを特徴とするものである。
解決手段の第３は、解決手段の第２において、コイルバネは、取付け位置を変更して弾性力を調整できるものであることを特徴とするものである。
【発明の効果】
【００１０】
本発明は、ボビンを着脱自在に装着したボビン支持盤に接合するブレーキシューを設けたものであり、ブレーキシューは搖動可能なダンサープレートにガイドロールと共に設けられ、さらに、ブレーキシューはボビン支持盤を押圧する方向に付勢されており、電線の繰出し中に電線に過度のテンションが発生した場合は、電線がガイドロールを引張ってダンサープレートを回動して上記ブレーキシューのボビン支持盤に対する制動力を抑制して過度のテンションを緩和することができるものであって、電線に発生するテンションを感知するガイドロールとテンションを抑制するブレーキシューが共にダンサープレートに設けられているだけでなく、他の部材を不要にしたものであるから、従来構造と比較して張力の変化に対する応答が素早く特に低い張力が安定しているので、極小径の電線供給に有効なものである。
【発明を実施するための最良の形態】
【００１１】
図１は本発明に係る電線供給装置の全体を組立てた斜視図、図２はブレーキ部材の部品図及びダンサープレート取付部の断面図、図３はボビン部材の部品図及びボビン軸取付部の断面図、図４はブレーキシュー部分を示す正面図である。図１に示す電線供給装置は、１個のボビン軸を有しており、該ボビン軸から１本の電線を繰出すものである。また、撚り線機は図示していないが、例えば、撚り線機が７本の電線を撚るものである場合、電線供給装置は７基が使用される。
【００１２】
電線供給装置は、機枠１と該機枠１に設けたブレーキ部材２並びにボビン部材５から構成されている。機枠１は、機枠背板１０の両端部に該機枠背板１０に対し直交方向に曲げた機枠庇板１１が形成されており、該機枠庇板１１に電線ｍを繰出す誘導案内部１２を設けたものである。
【００１３】
ブレーキ部材２は、機枠１の機枠背板１０に接合する内枠板材２０を有しており、該内枠板材２０には長手方向に平行する両端部に当該部分を直角に折り曲げたテンションベース２１が形成されている。また、テンションベース２１には、長手方向に沿った長孔２２が形成され、さらに長孔２２にスライドピン２３が摺動自在に収容されている。なお、スライドピン２３にコイルバネ２４が取付けられると共に当該スライドピン２３は蝶ナット２５によりテンションベース２１に固定されている。
【００１４】
内枠板材２０の端部で上記コイルバネ２４の延長方向にダンサープレート２６が取付けボルト２７により搖動自在に設けられている。２８はベアリング、２９はボス、３０はボス２９を固定する子ネジを示している。ダンサープレート２６には、正面視で内枠板材２０の外側に向う一端にガイドロール３１が回転自在に設けられている。ガイドロール３１はプラスチック製の中空体であり、ダンサープレート２６に固定したガイドロール軸３２にベアリング３３を介して挿嵌されている。なお、ガイドロール３１は、後述するボビン軸と同じ長さに形成されており、ボビン軸から繰出された電線ｍが該ガイドロール３１及び上記誘導案内部１２を経て撚り線機へ繰出されるようになっている。
【００１５】
ダンサープレート２６には、正面視で取付けボルト２７を挟んだ反対側となる内枠板材２０の内側に向かう端部に、ブレーキシュー３５が小ネジ３６により回転自在に設けられている。３７は小ネジ３６に挿嵌したカラーである。ブレーキシュー３５はフエルト製である。なお、ダンサープレート２６には、ブレーキシュー３５の取付け位置の反対側に上記スライドピン２３に固定したコイルバネ２４が取付けられている。このように取付けられたダンサープレート２６は、取付けボルト２７を中心に搖動自在であり、また、コイルバネ２４の弾力により取付けボルト２７を中心に正面視で時計方向に付勢されている。
【００１６】
ボビン部材５は、上記ブレーキ部材２のガイドロール３１と平行方向に向けたボビン軸５０を有しており、該ボビン軸５０は上記機枠背板1０に設けたダンサープレート２６の取付け位置の近傍に設けられており、基端部にブレーキドラムを兼ねたボビン支持盤５１がベアリング５２を介して回転自在に設けられている。また、ボビン軸５０は、先端部を小径に形成した小径部５０ａが設けられている。５３はボビン軸５０の小径部５０ａにベアリング５４を介して挿入した楔結合部材を示しており、軸方向に向う楔型の突出部５３ａを備えており、ボビン軸５０にボビン６０を装着した時、ボビン軸５０とボビン６０の軸孔との間に楔結合部材５３の突出部５３ａを挿入して両者を結合するものである。
【００１７】
楔結合部材５３から突出したボビン軸５０には、コイルスプリング５５を設けると共に当該ボビン軸５０の先端部に抜止めプレート５６がピン５７によって回動可能に設けられている。なお、コイルスプリング５５と抜止めプレート５６との間にワッシャー５８を挿入している。
【００１８】
ボビン部材５は、ボビン軸５０がブレーキ部材２のガイドロール３１と平行方向に向けて設けられていると共に、ボビン支持盤５１にダンサープレート２６に設けたブレーキシュー３５を接合させている。
【００１９】
図４を参照して、ダンサープレート２６は取付けボルト２７を中心に回動自在であり、また、コイルバネ２４によって正面視で時計方向に付勢されているので、ダンサープレート２６に設けたブレーキシュー３５は適度の押圧力によってボビン支持盤５１に接合されて当該ボビン支持盤５１に制動を与えている。
【００２０】
本発明は上記の構成であって、まず、電線ｍを巻付けたボビン６０を予め楔結合部材５３を外した状態のボビン軸５０に挿嵌し、次いで楔結合部材５３を嵌めコイルスプリング５５並びにワッシャー５８を嵌めて抜止めプレート５６を倒し、コイルスプリング５５の弾力によって楔結合部材５３をボビン６０の軸孔内に押込んで当該ボビン６０をボビン支持盤５１に圧着する。
【００２１】
ボビン軸５０に装着されたボビン６０は、ボビン支持盤５１と一体になって回転する。そこで、ボビン６０から電線ｍを引出し、引出した電線ｍはガイドロール３１に掛けてから機枠庇板１１に設けた誘導案内部１２を経て撚り線機へ繰出されて行く。ボビン支持盤５１にはブレーキシュー３５によって適度の制動が加えられているので、電線ｍはテンションが掛かった状態で撚り線機に供給される。
【００２２】
電線ｍが繰出されている間に電線ｍに過度のテンションが発生すると、電線ｍの張力が高まるのでガイドロール３１を強く引き、ダンサープレート２６をコイルバネ２４の弾力に抗して反時計方向に回動し、ブレーキシュー３５の制動力を弱めて電線ｍに加わるテンションを抑制する。また、これとは逆に、電線ｍに対し必要なテンションが発生していない時は、コイルバネ２４の弾力が勝ってダンサープレート２６をコイルバネ２４の弾力によって時計方向に回動し、ブレーキシュー３５の制動力を高めて電線ｍにテンションを与える。なお、コイルバネ２４は取付け位置を変更できるので、バネの弾力を調整して最適な制動力を得ることができるものである。
【００２３】
上記の作動を繰り返すことにより、電線ｍに対し常に適正なテンションを付与して撚り線機に供給し、高品位な電線を製造することができることになる。
【図面の簡単な説明】
【００２４】
【図１】本発明に係る電線供給装置を示す全体の斜視図。
【図２】ブレーキ部材を示しており、（ａ）は部品図、（ｂ）はダンサープレート取付部の断面図。
【図３】ボビン部材を示しており、（ａ）は部品図、（ｂ）はボビン軸取付部の断面図。
【図４】ダンサープレート取付部を示す正面図。
【符号の説明】
【００２５】
１  機枠
２  ブレーキ部材
５  ボビン部材
１０  機枠背板
１１  機枠庇板
１２  誘導案内部
２０  内枠板材
２１  テンションベース
２２  長孔
２３  スライドピン
２４  コイルバネ
２５  蝶ナット
２６  ダンサープレート
２７  取付けボルト
２８  ベアリング
２９  ボス
３０  子ネジ
３１  ガイドロール
３２  ガイドロール軸
３３  ベアリング
３５  ブレーキシュー
３６  小ネジ
３７  カラー
５０  ボビン軸
５１  ボビン支持盤
５２  ベアリング
５３  楔結合部材
５４  ベアリング
５５  コイルスプリング
５６  抜止めプレート
５７  ピン
５８  ワッシャー
６０  ボビン
【図１】
2006027874.tif 000003
【図２】
2006027874.tif 000004
【図３】
2006027874.tif 000005
【図４】
2006027874.tif 000006